(57)【要約】【課題】本発明はテレビ分野に関する。既存の技術のテレビ端末の放映の複雑な操作の問題を解決すべく、本発明において、自動放映テレビユニットおよび自動放映方法が提供される。【解決手段】本発明の装置は、アンテナと、テレビ信号処理モジュールと、センサと、判断モジュールとを含む。テレビ信号処理モジュールはアンテナが受信した信号を処理してユーザに信号を表示するように構成される。センサは、アンテナの使用状態を検出して、アンテナ状態情報を判断モジュールに送るように構成される。判断モジュールは、状態情報に応じてテレビ信号処理モジュールの電源を入れたり、切ったりするように構成される。本発明の利点は、ユーザの操作を単純化することにある。【選択図】図１
2010200322.tif 000002
【特許請求の範囲】
【請求項１】
アンテナと、テレビ信号処理モジュールと、制御モジュールとを備える自動放映テレビユニットであって、
前記制御モジュールが前記アンテナの使用状態に応じて前記テレビ信号処理モジュールの電源のオン・オフを制御するように構成され、
前記テレビ信号処理モジュールがテレビ信号を処理して、信号をユーザに表示するように構成される自動放映テレビユニット。
【請求項２】
前記制御モジュールが弾性タクトスイッチを備え、
前記アンテナを使用していないとき、前記アンテナが前記弾性タクトスイッチを押して、前記弾性タクトスイッチが前記テレビ信号処理モジュールに電源オフ信号を送り、
前記アンテナを使用しているとき、前記弾性タクトスイッチは押されることなく、前記テレビ信号処理モジュールに電源オン信号を送信する、請求項１に記載の自動放映テレビユニット。
【請求項３】
前記制御モジュールが赤外線発信器を備え、
前記アンテナを使用していないとき、前記アンテナが前記赤外線発信器の発する赤外線信号をブロックする位置にあり、前記テレビ信号処理モジュールの電源が切れ、
前記アンテナを使用するとき、前記アンテナはブロック位置になく、前記テレビ信号処理モジュールの電源が入る、請求項１に記載の自動放映テレビユニット。
【請求項４】
前記制御モジュールがさらに赤外線受信器を備え、
前記アンテナを使用していないとき、前記アンテナは前記赤外線発信器と前記赤外線受信器の間で赤外線信号をブロックする位置にあり、前記赤外線受信器が前記テレビ信号処理モジュールに電源オフ信号を送り、
前記アンテナを使用しているとき、前記アンテナはブロックする位置になく、この場合、前記赤外線受信器が前記テレビ信号処理モジュールに電源オン信号を送る、請求項３に記載の自動放映テレビユニット。
【請求項５】
前記制御モジュールは、アンテナの位置情報を検出するように構成されたホール効果スイッチを備え、
前記アンテナが、アンテナが使用されてない第一の位置にあるとき、前記テレビ信号処理モジュールの電源が切れ、
前記アンテナが、アンテナが使用された第二の位置にあるとき、前記テレビ信号処理モジュールの電源が入る、請求項１に記載の自動放映テレビユニット。
【請求項６】
テレビユニットの電源が入っているか判断して、入っていないときにテレビユニットの電源を入れるよう構成された判断モジュールを更に備える、請求項１〜５のいずれか一項に記載の自動放映テレビユニット。
【請求項７】
制御モジュールが、アンテナの状態に応じて、テレビ信号を処理してユーザに表示するよう構成されたテレビ信号処理モジュールの電源をオン・オフするように制御するステップを備えるテレビユニット自動放映方法。
【請求項８】
前記制御モジュールが、弾性タクトスイッチによって、前記アンテナの使用状態を取得し、前記アンテナの使用状態に応じてテレビ信号処理モジュールの電源をオン・オフするように制御し、
前記アンテナを使用していないとき、前記アンテナが弾性タクトスイッチを押して、前記弾性タクトスイッチが前記テレビ信号処理モジュールに電源オフ信号を送り、
前記アンテナを使用しているとき、前記弾性タクトスイッチは押されることなく、前記テレビ信号処理モジュールに電源オン信号を送る、請求項７に記載のテレビユニット自動放映方法。
【請求項９】
前記制御モジュールが赤外線発信器によってアンテナの使用状態を取得し、前記アンテナの使用状態に応じてテレビ信号処理モジュールの電源のオン・オフを制御し、
前記アンテナを使用していないとき、前記アンテナが前記赤外線発信器の発する赤外線信号をブロックする位置にあり、前記テレビ信号処理モジュールの電源が切れ、
前記アンテナを使用するとき、前記アンテナはブロックする位置になく、前記テレビ信号処理モジュールの電源が入る、請求項７に記載のテレビユニット自動放映方法。
【請求項１０】
前記制御モジュールが更に赤外線受信器によって、前記アンテナの使用状態を得て、前記アンテナの使用状態に応じてテレビ信号処理モジュールの電源のオン・オフを制御し、
前記アンテナを使用していないとき、前記アンテナは赤外線発信器と赤外線受信器の間で赤外線信号をブロックする位置にあり、前記赤外線受信器が前記テレビ信号処理モジュールに電源オフ信号を送信し、
前記アンテナを使用しているとき、前記アンテナはブロックする位置になく、前記赤外線受信器が前記判断モジュールに電源オン信号を送信する、請求項９に記載のテレビユニット自動放映方法。
【請求項１１】
前記制御モジュールが、アンテナの位置情報を検出するように構成されたホール効果スイッチによってアンテナの使用状態を取得し、
前記アンテナが、使用されていない第一の位置にあるとき、前記テレビ信号処理モジュールの電源が切れ、
前記アンテナが、使用された第二の位置にあるとき、前記テレビ信号処理モジュールの電源が入る、請求項７に記載のテレビユニット自動放映方法。
【請求項１２】
テレビユニットの電源が入っているかどうかを判断して、入っていないときにテレビユニットの電源を入れるステップを更に備える、請求項７〜１１のいずれか一項に記載のテレビユニット自動放映方法。
【請求項１３】
アンテナと、テレビ信号処理モジュールと、センサと、判断モジュールとを備える自動放映テレビユニットであって、
前記テレビ信号処理モジュールがテレビ信号を処理して、ユーザに表示するように構成され、
前記センサが前記アンテナの使用状態を検出して、前記アンテナの状態情報を前記判断モジュールに送るように構成され、
前記判断モジュールが状態情報に基づいて前記テレビ信号処理モジュールの電源をオン・オフするように構成された自動放映テレビユニット。
【請求項１４】
前記センサがタクトスイッチと弾性ベースとを備え、
前記アンテナを使用していないとき、前記アンテナが前記タクトスイッチを押し、前記タクトスイッチが弾性ベースを押して、前記タクトスイッチが前記判断モジュールにスイッチオフ状態情報を送り、
前記アンテナを使用しているとき、前記タクトスイッチは押されることなく、前記弾性ベースが弾性回復力により弾性回復力と同じ方向に移動して、前記タクトスイッチが前記判断モジュールに電源オン状態情報を送信する、請求項１３に記載の自動放映テレビユニット。
【請求項１５】
前記センサが赤外線発信器と赤外線受信器とを備え、
前記アンテナを使用していないとき、前記アンテナは前記赤外線発信器と前記赤外線受信器の間で赤外線信号をブロックする位置にあり、前記赤外線受信器が前記判断モジュールにスイッチオフ状態情報を送り、
前記アンテナを使用しているとき、前記アンテナはブロックする位置になく、前記赤外線受信器が前記判断モジュールに電源オン状態情報を送る、請求項１３に記載の自動放映テレビユニット。
【請求項１６】
前記センサが、前記アンテナの位置情報を検出するように構成されたホール効果スイッチを備え、
前記アンテナが第一の位置にあるとき、前記ホール効果スイッチが前記判断モジュールにスイッチオフ状態情報を送り、
前記アンテナが第二の位置にあるとき、前記ホール効果スイッチが前記判断モジュールに電源オン状態情報を送る、請求項１３に記載の自動放映テレビユニット。
【請求項１７】
センサによって、アンテナの使用状態を検出して、アンテナの状態情報を得て、状態情報に応じてテレビ番組の放映を開始したり停止したりするステップを備えるテレビユニット自動放映方法。
【請求項１８】
前記センサがさらにアンテナの位置を検出する、請求項１７に記載のテレビユニット自動放映方法。
【請求項１９】
前記状態情報に応じてテレビ番組の放映を開始したり停止したりするステップが、さらに、状態情報を判断するステップを備え、
前記状態情報が開始を示している場合、開始コマンドをテレビ信号処理モジュールに送信して、テレビ番組を放映し、
前記状態情報が停止を示している場合、停止コマンドをテレビ信号処理モジュールに送信して、テレビ番組の放映を停止する、請求項１７に記載のテレビユニット自動放映方法。
【請求項２０】
前記状態情報が開始を示した後、テレビユニットの電源が入っているかどうかを判断して、入っていない場合、テレビユニットの電源を入れる必要があるステップをさらに備える、請求項１９に記載のテレビユニット自動放映方法。
【発明の詳細な説明】
【技術分野】
【０００１】
本発明は、テレビ分野に関し、特に、自動放映テレビユニット及び方法に関する。
【背景技術】
【０００２】
現在、地上放送デジタルテレビ信号を受信することによってテレビ番組を放映する技術的解決法において、放映端末として移動端末が通常使用されている。ハンドセットテレビとは、テレビ番組が端末装置としてのハンドセットに送信される技術または応用サービスを指している。
【０００３】
中国のハンドセットテレビ分野では、テレビアンテナをハンドセットに取り付けて、テレビから受信する信号の強度を高めて、受信番組の放映品質を改良している。
【０００４】
外付けのテレビアンテナは、テレスコピックアンテナであり、通常、ハンドセット内に隠されている。テレビアンテナを使用するためには、アンテナをハンドセットから引き出して、次いで、アンテナをある位置まで回転させる。あるいは、アンテナをハンドセットから露出させて、切欠き部分に固定しておく。使用するためには、アンテナを切欠き部分から取り出して、次いで、引っ張ったり、ある位置まで回転させたりする。外付けのアンテナの特徴は高い感度にある。しかしながら、外付けのアンテナを備えたテレビ番組放映装置を使用してテレビ番組を見る場合、ユーザは通常はアンテナを引き出し、次いで、関連メニューあるいはオプションを選択して、テレビ番組の放映インターフェースにアクセスする必要がある。操作工程が複雑であるので、装置を簡単に使用することができない。
【発明の概要】
【発明が解決しようとする課題】
【０００５】
本明細書では、テレビユニットで面倒な操作を行った後でしかテレビ番組を放映できないという既存の技術の問題を解決するべく、自動放映テレビユニットおよび自動放映方法を提供する。
【課題を解決するための手段】
【０００６】
本発明の一実施形態で提供する自動放映テレビユニットは、上記問題を解決するものである。テレビユニットは、アンテナと、テレビ信号処理モジュールと、センサと、判断モジュールとを備える。
【０００７】
テレビ信号処理モジュールは、テレビ信号を処理して信号をユーザに表示するように構成される。
【０００８】
センサは、アンテナの使用状態を検出して、アンテナの状態情報を判断モジュールに送信するように構成される。
【０００９】
判断モジュールは、状態情報に応じてテレビ信号処理モジュールの電源をオン・オフするように構成される。
【００１０】
テレビ信号処理モジュールは、本発明の一実施形態において提供する装置を通じて使用することもでき、またアンテナの状態を変更することによって使用することもできる。このようにしてテレビ番組は放映される。本テレビユニットの特徴は、単純な構造と操作にある。
【００１１】
本発明の一実施形態で提供する自動放映テレビユニットは、上記の問題を解決するものである。テレビユニットは、アンテナと、テレビ信号処理モジュールと、制御モジュールとを備える。
【００１２】
制御モジュールは、アンテナの使用状態に応じてテレビ信号処理モジュールの電源のオン・オフを制御するように構成される。
【００１３】
テレビ信号処理モジュールは、テレビ信号を処理して、信号をユーザに表示するように構成される。
【００１４】
本発明の一実施形態におけるテレビユニット自動放映方法は、上記問題を解決するためのものである。本方法は、センサによってアンテナの使用状態を検出して、アンテナの状態情報を得るステップと、状態情報に応じてテレビ番組の放映を開始したり中止したりするステップとを含む。
【００１５】
本発明の一実施形態におけるテレビユニット自動放映方法は、上記問題を解決するためのものである。本方法は、制御モジュールによって、アンテナの状態に応じてテレビ信号処理モジュールの電源のオン・オフを制御するステップを含み、テレビ信号処理モジュールはテレビ信号を処理して信号をユーザに表示するように構成される。
【００１６】
テレビ信号処理モジュールは、本発明の一実施形態において提供する方法によって使用することもでき、またアンテナの状態を変更することによって使用することもできる。このようにしてテレビ番組は放映される。本テレビユニットの特徴は、単純な構造と操作にある。
【００１７】
図面は、ユーザが本発明の実施形態をよりよく理解できるようにするものである。図面は一部を表しているにすぎず、本発明を限定するものではない。
【図面の簡単な説明】
【００１８】
【図１】本発明の第一の実施形態による自動放映テレビユニットの構造を示す概略図である。
【図２】本発明の第二の実施形態による自動放映テレビユニットの構造を示す概略図である。
【図３】本発明の第三の実施形態による自動放映テレビユニットの構造を示す概略図である。
【図４】本発明の第四の実施形態による自動放映テレビユニットの構造を示す概略図である。
【図５】本発明の第五の実施形態による自動放映テレビユニットの構造を示す概略図である。
【図６】本発明の第六の実施形態による自動放映テレビユニットの構造を示す概略図である。
【図７】本発明の第七の実施形態による自動放映テレビユニットの構造を示す概略図である。
【図８】本発明の第八の実施形態による自動放映テレビユニットの構造を示す概略図である。
【図９】本発明の第九の実施形態による自動放映テレビユニットの構造を示す概略図である。
【図１０】本発明の第一の実施形態によるテレビユニット自動放映方法のフローチャートである。
【図１１】本発明の第二の実施形態によるテレビユニット自動放映方法のフローチャートである。
【図１２】本発明の第三の実施形態によるテレビユニット自動放映方法のフローチャートである。
【発明を実施するための形態】
【００１９】
本発明の一実施形態において自動放映テレビユニットおよび自動放映方法が提供される。以下に、図面と併せて本発明の実施形態を詳細に説明する。
【００２０】
図１は、本発明の第一の実施形態による自動放映テレビユニットの構造を示す概略図である。
【００２１】
テレビユニットは、アンテナ１０１と、テレビ信号処理モジュール１０２と、制御モジュール１０３とを備える。
【００２２】
アンテナ１０１は、テレビユニット・ケースに外部から挿入される。アンテナはテレビ信号を受信するように構成される。
【００２３】
テレビ信号処理モジュール１０２は、電源が入ったときにテレビ信号を処理して信号をユーザに表示するように構成される。
【００２４】
制御モジュール１０３は、アンテナの使用状態に応じてテレビ信号処理モジュールの電源のオン・オフを制御するように構成される。
【００２５】
テレビユニットは、好ましくは、テレビ放映機能を備えた移動端末とすることができる。
【００２６】
上記実施形態において、制御モジュールはアンテナの使用状態を検出することができる。アンテナを使用しているとき、つまり、ユーザがアンテナを引き出して、テレビを視聴しようとしているとき、制御モジュールが、アンテナが引き出されたことを示す状態を検出し、テレビ信号処理モジュールの電源を入れる。この場合、ユーザは、手動で複雑な電源オン作業をすることなくテレビ番組を見ることができる。
【００２７】
図２は、本発明の第二の実施形態における自動放映テレビユニットの構造を示す概略図である。
【００２８】
テレビユニットは、アンテナ２０１と、センサ２０２と、判断モジュール２０３と、テレビ信号処理モジュール２０４とを備える。
【００２９】
アンテナ２０１は、テレビユニット・ケースに外部から挿入される。アンテナは、背景技術で説明した外付けアンテナとすることができ、テレビ信号を受信するように構成される。
【００３０】
センサ２０２は、アンテナ２０１の状態を検出するように構成される。アンテナ２０１が第一の状態にあるとき、センサ２０２の出力は第一状態信号である。アンテナ２０１が第二の状態にあるとき、センサ２０２の出力は第二状態信号である。
【００３１】
判断モジュール２０３は、センサ２０２が送った状態信号に応じてテレビ信号処理モジュール２０４の電源を自動的に入れてテレビ番組をユーザに表示したり、テレビ信号処理モジュール２０４の電源を切ったりするように構成される。
【００３２】
テレビ信号処理モジュール２０４は、判断モジュール２０３によって制御され、アンテナ２０１が受信したテレビ信号を処理するように構成される。
【００３３】
テレビユニットは、好ましくは、テレビ放映機能を備えた移動端末とすることができる。
【００３４】
上記実施形態において、センサは、アンテナの使用状態を検出することができる。アンテナを使用しているとき、すなわち、ユーザがアンテナを引き出して、テレビを視聴しようとしているとき、センサが、アンテナが引き出されたことを示す状態を検出し、判断モジュールに電源オン信号を送ることができる。判断モジュールは、テレビ信号を処理して、テレビ信号をユーザに表示する。この場合、ユーザは、手動で複雑な電源オン作業をすることなくテレビ番組を見ることができる。
【００３５】
図３は、本発明の第三の実施形態における自動放映テレビユニットの構造を示す概略図である。
【００３６】
テレビユニットは、テレビ放映装置ケース３０１と、凹部３０２と、アンテナ３０３と、制御モジュール３０４と、テレビ信号処理モジュール３０５とを含み、制御モジュール３０４が弾性タクトスイッチ３０４１を含む。
【００３７】
アンテナ３０３は凹部３０２内に配置される。
【００３８】
弾性タクトスイッチ３０４１は、その一端部が凹部３０２の側のアンテナ３０３に接触して配置されている。アンテナ３０３を使用していないとき、アンテナ３０３が弾性タクトスイッチ３０４１を押しており、弾性タクトスイッチ３０４１が電源オフ信号をテレビ信号処理モジュール３０５に送る。アンテナ３０３を使用しているとき、弾性タクトスイッチ３０４１は押されておらず、弾性タクトスイッチ３０４１が電源オン信号をテレビ信号処理モジュール３０５に送信する。
【００３９】
上記実施形態において、弾性タクトスイッチ３０４１は、ユーザがアンテナ３０５を引き出したときに、テレビ信号処理モジュール３０４に電源オン信号を送るように設定される。この場合、ユーザがテレビを見たい時、すなわち、アンテナを引っ張り出すことにより、テレビ信号処理モジュールの電源が自動的に入り、テレビ番組が放映される。このように、ユーザの操作を単純にしたり、コストを大幅に低減したりすることができる。
【００４０】
図４は、本発明の第四の実施形態における自動放映テレビユニットの構造を示す概略図である。
【００４１】
テレビユニットは、テレビ放映装置ケース４０１と、アンテナ４０２と、弾性ベース４０３と、タクトスイッチ４０４と、判断モジュール４０５と、凹部４０６と、テレビ信号処理モジュール４０７とを含む。
【００４２】
テレビ放映装置ケース４０１は、背景技術で説明したテレビ放映端末である。
【００４３】
アンテナ４０２は、凹部４０６内に配置される。
【００４４】
弾性ベース４０３は、タクトスイッチ４０４に接続され、弾性回復力を与える。
【００４５】
タクトスイッチ４０４は、その一端部が凹部４０６の側のアンテナ４０２に接触して配置され、もう一方の端部が弾性ベース４０３に接触して配置されている。タクトスイッチ４０４は判断モジュール４０５に接続される。アンテナ４０２がタクトスイッチ４０４の一端部を押すと、タクトスイッチ４０４が弾性ベース４０３を押す。この場合、タクトスイッチ４０２が判断モジュール４０５にスイッチオフの状態情報を送る。ユーザがアンテナ４０２を引き出すと、タクトスイッチ４０４がアンテナ４０２から離れて押されなくなり、弾性ベース４０３もタクトスイッチ４０４に押されなくなり、元の状態に復帰する。この場合、タクトスイッチ４０２が判断モジュール４０５に電源オンの状態情報を送る。
【００４６】
判断モジュール４０５は、タクトスイッチ４０４が送った状態情報に応じてテレビ信号処理モジュール４０７の電源をオン・オフするように構成される。
【００４７】
テレビ信号処理モジュール４０７は、判断モジュール４０５によって制御され、アンテナ４０２が受信したテレビ信号を処理するように構成される。
【００４８】
上記実施形態において、タクトスイッチ４０４は、ユーザがアンテナ４０２を引き出したときに判断モジュール４０５に電源オン信号を送るように設定され、次いで、判断モジュール４０５がテレビ信号処理モジュール４０７に電源オン・コマンドを送る。この場合、ユーザがテレビを視聴したいとき、すなわち、アンテナを引き出したとき、テレビ信号処理モジュールの電源が自動的に入りテレビ番組が放映される。したがって、ユーザの操作を単純化することができ、コストを大幅に低減することができる。
【００４９】
図５は、本発明の第五の実施形態における自動放映テレビユニットの構造を示す概略図である。
【００５０】
テレビユニットは、テレビ放映装置ケース５０１と、凹部５０２と、アンテナ５０３と、制御モジュール５０４と、テレビ信号処理モジュール５０５とを含み、制御モジュール５０３が赤外線発信器５０４１を含む。
【００５１】
赤外線発信器５０４１は、赤外線を放射することによりテレビ信号処理モジュール５０５の電源を入れるように構成される。
【００５２】
アンテナ５０３は、凹部５０２内に配置される。アンテナ５０３を使用していないとき、アンテナ５０３は、赤外線発信器５０４１が発した赤外線信号をブロックする位置に配置される。したがって、テレビ信号処理モジュール５０５の電源はオフとなる。アンテナ５０３を使用するとき、アンテナ５０３はブロック位置にはなく、テレビ信号処理モジュール５０５の電源が入る。
【００５３】
上記実施形態において、赤外線発信器５０４１は、テレビ信号処理モジュール５０５に電源オン信号を送るように設定される。この場合、ユーザがテレビを見たい時、すなわちアンテナを引き出したとき、テレビ信号処理モジュールの電源が自動的に入りテレビ番組が放映される。したがって、ユーザの操作を単純化することができ、コストを大幅に低減することができる。
【００５４】
図６は、本発明の第六の実施形態における自動放映テレビユニットの構造を示す概略図である。
【００５５】
テレビユニットは、テレビ放映装置ケース６０１と、凹部６０２と、アンテナ６０３と、制御モジュール６０４と、テレビ信号処理モジュール６０５とを含み、制御モジュール６０４が赤外線発信器６０４１と赤外線受信器６０４２とを含む。
【００５６】
アンテナ６０３は凹部６０２内に配置される。
【００５７】
赤外線発信器６０４１と赤外線受信器６０４２は、凹部６０２の両側、すなわちアンテナ６０３の両側に取り付けられる。赤外線発信器６０４１は赤外線信号を送るように構成される。赤外線受信器６０４２は赤外線信号を受信するように構成される。
【００５８】
アンテナン６０３を使用していないとき、アンテナ６０３は赤外線発信器６０４１と赤外線受信器６０４２の間で赤外線信号をブロックする位置に配置される。この場合、赤外線受信器６０４２はテレビ信号処理モジュール６０５に電源オフ信号を送る。アンテナ６０３を使用するとき、アンテナ６０３はブロック位置にはなく、この場合、赤外線受信器６０４２がテレビ信号処理モジュール６０５に電源オン信号を送る。
【００５９】
上記実施形態において、赤外線発信器６０４１は赤外線信号を赤外線受信器６０４２に送るように設定され、赤外線受信器６０４２は、赤外線発信器６０４１が発した赤外線信号を受信した後、電源オン信号をテレビ信号処理モジュール６０５に送るように設定される。この場合、ユーザがテレビを視聴したいとき、すなわち、アンテナを引き出すことにより、テレビ信号処理モジュールの電源が自動的に入ってテレビ番組が放映される。したがって、ユーザの操作を単純化することができ、コストを大幅に低減することができる。
【００６０】
図７は、本発明の第七の実施形態における自動放映テレビユニットの構造を示す概略図である。
【００６１】
テレビユニットは、テレビ放映装置ケース７０１と、アンテナ７０２と、赤外線発信器７０３と、赤外線受信器７０４と、判断モジュール７０５と、凹部７０６と、テレビ信号処理モジュール７０７とを含む。
【００６２】
テレビ放映装置のケース７０１は、背景技術で説明したテレビ放映端末である。
【００６３】
アンテナ７０２は、凹部７０６内に配置される。
【００６４】
赤外線発信器７０３と赤外線受信器７０４は、凹部７０６の両側、すなわちアンテナ７０２の両側に取り付けられる。赤外線発信器７０３は赤外線信号を送るように構成される。赤外線受信器７０４は赤外線信号を受信するように構成される。赤外線信号を受信すると、赤外線受信器７０４は判断モジュール７０５に電源オン状態信号を送る。赤外線信号を受信していないときは、赤外線受信器７０４は判断モジュール７０５にスイッチオフ状態信号を送る。
【００６５】
この実施形態において、赤外線発信器７０３は凹部７０６の下部に取り付けられる。赤外線受信器７０４は凹部７０６の上部に取り付けられる。赤外線発信器７０３と赤外線受信器７０４は、凹部７０６の中央に配置されたアンテナ７０２に隔てられて配置される。赤外線受信器７０４は、アンテナ７０２のブロックにより、赤外線発信器７０３が送った赤外線信号を受信することができない。この場合、赤外線受信器７０４に接続された判断モジュール７０５がスイッチオフ状態信号を受け取る。
【００６６】
判断モジュール７０５は、赤外線受信器７０４が送った状態情報に応じてテレビ信号処理モジュール７０７の電源をオン・オフするように構成される。
【００６７】
好ましい実施形態としての実施形態では、判断モジュール７０５を、テレビユニットの電源が入っているかどうか判断するように構成することもできる。テレビユニットの電源が入っていないとき、テレビユニットの電源を自動的に入れることができる。
【００６８】
テレビ信号処理モジュール７０７は、判断モジュール７０５により制御され、アンテナ７０２が受け取ったテレビ信号を処理するように構成される。
【００６９】
上記実施形態では、赤外線発信器７０３と赤外線受信器が、ユーザがアンテナ７０２を引き出したときに判断モジュール７０５に電源オン信号を送信するように設定され、次いで、判断モジュール７０５がテレビ信号処理モジュール７０７に電源オン・コマンドを送る。この場合、ユーザがテレビを視聴したいとき、すなわちアンテナを引き出すことにより、テレビ信号処理モジュールの電源が自動的に入りテレビ番組が放映される。したがって、ユーザの操作を単純化することができ、コストを大幅に低減することができる。
【００７０】
図８は、本発明の第八の実施形態における自動放映テレビユニットの構造を示す概略図である。
【００７１】
テレビユニットは、テレビ放映装置ケース８０１と、凹部８０２と、アンテナ８０３と、制御モジュール８０４と、テレビ信号処理モジュール８０５とを含み、制御モジュール８０３がホール効果スイッチ８０４１を含む。
【００７２】
アンテナ８０３が、アンテナ８０３が使用されなかった第一の位置にあるとき、テレビ信号処理モジュール８０５の電源が切れる。アンテナ８０３が使用された第二の位置にあるとき、テレビ信号処理モジュール８０５の電源が入る。
【００７３】
上記の実施形態において、ホール効果スイッチ８０４１が、アンテナ８０３の位置を検出するように設定され、制御モジュール８０４が、アンテナ８０３が使用された第二の位置にあるときに、テレビ信号処理モジュール８０５に電源オン信号を送るように設定される。この場合、ユーザがテレビを視聴したいとき、すなわちアンテナを引き出したとき、テレビ信号処理モジュールの電源が自動的に入り、テレビ番組を放映する。アンテナ８０３が下がると、すなわちアンテナ８０３が第一の位置にあるとき、ホール効果スイッチ８０４１がテレビ信号処理モジュール８０４に電源オフ信号を送り、テレビ番組の放映が止まる。したがって、ユーザの操作を単純化することができ、コストを大幅に低減することができる。
【００７４】
図９は、本発明の第九の実施形態における自動放映テレビユニットの構造を示す概略図である。
【００７５】
この実施形態は、第二の実施形態に類似する。それゆえ、第一の実施形態における特長と異なる本実施形態における技術的な特長のみ説明し、同じ、もしくは同様の特長は説明を省く。
【００７６】
この実施形態において、テレビユニットは、テレビ放映装置ケース９０１と、アンテナ９０２と、判断モジュール９０４と、凹部９０５と、テレビ信号処理モジュール９０６とを含む。タクトスイッチおよび弾性ベールがホール効果スイッチ９０３に置き換えられている。
【００７７】
ホール効果スイッチ９０３は、その状態が周囲の磁場により変化する誘導部品である。スイッチは、アンテナ９０２が引き出されたかどうかを検出するように、すなわち、アンテナ９０２が第一の位置にあるか、あるいは第二の位置にあるか判断するように構成され、次いで、判断モジュール９０４に状態情報を送る。
【００７８】
上記実施形態において、ホール効果スイッチ９０３は、ユーザがアンテナ９０２を引き出したとき、すなわちアンテナ９０２が第二の位置にあるとき、判断モジュール９０４に電源オン信号を送るように設定される。続いて、判断モジュール９０４がテレビ信号処理モジュール９０６に電源オン・コマンドを送る。この場合、ユーザがテレビを視聴したいとき、すなわちアンテナを引き出すことにより、テレビ信号処理モジュールの電源が自動的に入りテレビ番組が放映される。アンテナ９０２が下がっているとき、すなわちアンテナ９０２が第一の位置にあるとき、ホール効果スイッチ９０３が判断モジュール９０４に電源オフ信号を送る。続いて、判断モジュール９０４がテレビ信号処理モジュール９０６にスイッチオフ・コマンドを送りテレビ番組の放映が止まる。したがって、ユーザの操作を単純化することができ、コストを大幅に低減することができる。
【００７９】
図１０は、本発明の第一の実施形態によるテレビユニット自動放映方法のフローチャートである。
【００８０】
ステップ１００１：アンテナの使用状態を得る。
【００８１】
ステップ１００２：アンテナが使用されているとき、テレビ信号処理モジュールの電源を入れる。
【００８２】
ステップ１００３：アンテナが使用されていないとき、テレビ信号処理モジュールの電源を切る。
【００８３】
テレビ信号処理モジュールは、電源が入ったあと、テレビ信号を処理してユーザに信号を表示するように構成される。アンテナが使用されていないとき、テレビ信号処理モジュールの電源が切れ、アンテナが使用されているとき、テレビ信号処理モジュールの電源が入る。
【００８４】
上記実施形態において、アンテナの使用状態は、テレビユニットの制御モジュールによって得ることができる。
【００８５】
制御モジュールは、弾性タクトスイッチを含むことができ、その一端部がアンテナに接触される。アンテナが使用されていないときは、アンテナが弾性タクトスイッチを押しており、弾性タクトスイッチがテレビ信号処理モジュールに電源オフ信号を送る。アンテナが使用されているとき、弾性タクトスイッチは押されておらず、弾性タクトスイッチがテレビ信号処理モジュールに電源オン信号を送る。
【００８６】
制御モジュールに赤外線発信器を含めることができる。赤外線発信器は、赤外線を放射することによりテレビ信号処理モジュールの電源を入れるように構成され、アンテナが使用されていないとき、アンテナが赤外線発信器の発した赤外線信号をブロックする位置にあり、テレビ信号処理モジュールの電源が切れる。アンテナが使用されているとき、アンテナがブロック位置になく、テレビ信号処理モジュールの電源が入る。
【００８７】
制御モジュールは赤外線発信器と更には赤外線受信器を含むことができる。赤外線発信器及び赤外線受信器はアンテナの両側に取り付けられる。赤外線発信器は赤外線信号を送るように構成される。赤外線受信器は赤外線信号を受信するように構成される。アンテナが使用されていないとき、アンテナは赤外線発信器と赤外線受信器の間で赤外線信号をブロックする位置にあり、この場合、赤外線受信器がテレビ信号処理モジュールに電源オフ信号を送る。アンテナが使用されているとき、アンテナはブロック位置になく、この場合、赤外線受信器がテレビ信号処理モジュールに電源オン信号を送る。
【００８８】
制御モジュールはホール効果スイッチを含むことができる。アンテナが使用されなかった第一の位置にあるとき、テレビ信号処理モジュールの電源が切れ、アンテナが使用された第二の位置にあるとき、テレビ信号処理モジュールの電源が入る。
【００８９】
上記実施形態において、アンテナを使用しているとき、テレビ信号処理モジュールの電源が入る。次いで、テレビ信号処理モジュールがテレビ信号を処理して、ユーザに表示する。この場合、ユーザは、手動で複雑な電源オン操作をすることなくテレビ番組を視聴することができる。
【００９０】
図１１は、本発明の第二の実施形態によるテレビユニット自動放映方法のフローチャートである。
【００９１】
ステップ１１０１：センサが送った状態信号を検出する。
【００９２】
ステップ１１０２：状態信号が、第一の状態を示しているか、第二の状態を示しているか判断する。状態情報が第二の状態を示しているとき、処理はステップ１１０３に続く。状態情報が第一の状態を示しているとき、処理はステップ１１０４に続く。
【００９３】
ステップ１１０３：テレビ番組が放映されず、テレビ信号処理モジュールの電源が切れる。
【００９４】
ステップ１１０４：テレビ信号処理モジュールの電源が入り、アンテナより受信したテレビ番組が処理されて、テレビ番組がユーザに放映される。
【００９５】
上記の実施形態では、ユーザがテレビ番組を視聴したいとき、すなわちアンテナを引き出すことにより、テレビ信号処理モジュールの電源を自動的に入れて、テレビ番組が放映されるように、センサを設定する。この場合、ユーザの操作が単純化され、コストが大幅に低減される。
【００９６】
図１２は、本発明の第三の実施形態によるテレビユニット自動放映方法のフローチャートである。
【００９７】
ステップ１２０１：スイッチが送った状態信号を検出する。
【００９８】
ステップ１２０２：状態信号が電源オン信号か、電源オフ信号か判断する。状態信号が電源オフ信号なら、処理はステップ１２０３に続く。状態信号が電源オン信号なら、処理はステップ１２０４に続く。
【００９９】
ステップ１２０３：テレビ番組を放映せず、テレビ信号処理モジュールの電源を切る。
【０１００】
ステップ１２０４：テレビユニットの電源が入っているかどうか判断する。テレビユニットの電源が入っている場合、処理はステップ１２０５に続く。電源が入っていない場合、処理はステップ１２０６に続く。
【０１０１】
ステップ１２０５：テレビ信号処理モジュールの電源が入り、アンテナが受信したテレビ番組が処理され、テレビ番組がユーザに放映される。
【０１０２】
ステップ１２０６：テレビユニットの電源が入り、処理がステップ１２０５に戻る。
【０１０３】
上記実施形態において、ユーザは、たった一つの動作、すなわち、アンテナを引き出すだけでよい。次いで、スイッチが電源オン状態情報を送り、テレビユニットの電源が入り、したがって、ユーザの操作を単純化することができる。
【０１０４】
本発明の一実施形態におけるテレビユニットは、ハンドセット、テレビチューナ、データカード、ＰＤＡ、ＭＰ３、ＭＰ４、デジタルカメラ、あるいはノートブックコンピュータなど多くの形態のデバイスを含むことができる。テレビユニットは、本発明により限定されない。
【０１０５】
本発明の一実施形態において説明したテレビ信号は、チャイナモバイル・マルチメディア・ブロードキャスティング（ＣＭＭＢ），デジタル・オーディオ・ブロードキャスティング（ＤＡＢ），地上デジタル・ビデオ・ブロードキャスティング（ＤＶＢ−Ｔ）番組等の地上放映番組の信号、または衛星デジタル・ビデオ・ブロードキャスティングであるか、または既存技術のアナログ放映テレビ信号である。テレビ信号は本発明により限定されない。
【０１０６】
本発明の利点は、ユーザがアンテナを引き出した後、テレビ番組を自動的にテレビ番組放映装置で放映することにある。この場合、ユーザは単純な操作を行うだけで、テレビ番組を視聴することができ、素晴らしい体験をすることができる。さらに、ユーザがアンテナを引き出すと、装置の電源が入り、テレビの番組を放映することができる。この場合、電源を入れる操作ステップを減らして、装置の使用が簡単になる。
【０１０７】
上記の段落では、本発明の複数の実施形態の利点、技術的な取組み、および目的を詳細に説明した。本発明をいくつかの例示的実施形態により説明してきたが、本発明がそれらに限定されないことは理解できよう。当業者がなし得るすべての変更形態、同等置換形態および改良形態は、本発明の精神および原理を逸脱することがない限り、本発明により保護されるものとする。
【図１】
2010200322.tif 000003
【図２】
2010200322.tif 000004
【図３】
2010200322.tif 000005
【図４】
2010200322.tif 000006
【図５】
2010200322.tif 000007
【図６】
2010200322.tif 000008
【図７】
2010200322.tif 000009
【図８】
2010200322.tif 000010
【図９】
2010200322.tif 000011
【図１０】
2010200322.tif 000012
【図１１】
2010200322.tif 000013
【図１２】
2010200322.tif 000014